(57)【要約】【課題】装置部材に貼り付けられたラベルを、通常は剥離・取り外し等をすることができず、かつ必要なときには装置部材から速やかに除去することができ、装置使用後のリサイクル処理を容易に行うことができてリサイクル処理コストの低減を図ることができる遊技機のラベル除去構造を得る。【解決手段】パチンコ機１０の前面枠１４にはラベル２２が貼り付けられた貼付部２０が設けられており、この貼付部２０はリブ２４によって周辺部２６と連結されている。リブ２４は、貼付部２０及び周辺部２６と一体に成形されているため、通常は（装置を廃棄するまでは）、この連結状態を解除することはできない。一方、必要なときには（装置を廃棄するときは）、リブ２４をニッパー等によって切断すれば、リブ２４による連結状態が解除される。これにより、貼付部２０が周辺部２６と分離され、この貼付部２０と共にラベル２２が前面枠１４から取り除かれる。【選択図】  図１
2004147942.tif 000002
【特許請求の範囲】
【請求項１】
所定の情報を表示するためのラベルが装置部材に貼り付けられた遊技機に適用され、前記ラベルを前記装置部材から取り除くための遊技機のラベル除去構造であって、
前記装置部材に設けられ、前記ラベルが貼り付けられる貼付部と、
前記貼付部及び他の周辺部と一体に成形されて前記貼付部を他の周辺部と連結し、かつ前記連結状態を強制的な外力によってのみ解除可能な連結部と、
を備え、前記連結部を前記連結解除状態とすることで、前記貼付部と共に前記ラベルを前記装置部材から取り除く、
ことを特徴とする遊技機のラベル除去構造。
【請求項２】
前記連結部は、前記貼付部の部材周縁を他の周辺部と部分的に連結しかつ切断されることで前記連結解除状態となるリブとされる、
ことを特徴とする請求項１記載の遊技機のラベル除去構造。
【請求項３】
前記連結部は、前記貼付部の部材周縁と他の周辺部との境界部分に設けられ、前記貼付部の部材周縁及び他の周辺部の肉厚よりも薄肉に形成されかつ破断されることで前記連結解除状態となる薄肉部とされる、
ことを特徴とする請求項１記載の遊技機のラベル除去構造。
【発明の詳細な説明】
【０００１】
【発明の属する技術分野】
本発明は、遊技機の装置部材に貼り付けられたラベルをこの装置部材から取り除くための遊技機のラベル除去構造に関する。
【０００２】
【従来の技術】
従来より、パチンコ機等の遊技機では、この遊技機の所定の情報を表示するためのラベル（例えば、機械番号シール、検査証等）が、装置部材（例えば、装置前面枠や裏セット本体等）の空きスペースに直接に貼り付けられている。
【０００３】
ところで、近年、環境問題の一要因として、このようなパチンコ機等の遊技機に使用されているプラスチック材料もマテリアルリサイクルの候補として挙げられており、前述の如きラベルが貼り付けられた装置部材（装置前面枠や裏セット本体等）もその対象として注目を集めている。しかしながら、従来のこのようなパチンコ機等の遊技機では、マテリアルリサイクルを図ろうとした場合に、装置部材にラベルが貼り付けられていると、当該ラベルと装置部材とは異質材料によって形成されているため、当該ラベルが貼り付けられた状態のままでは装置部材をリサイクル処理し難い問題があった。このため、従来では残存する（貼り付けられたままの）当該ラベルを手作業によっていちいち剥がさなければならず、ラベルの剥離・分離作業に多くの手間や時間を要し、リサイクル処理のコスト高の原因であった。
【０００４】
そこで、ラベルの剥離作業を容易にできる遊技機が提案されている（特許文献１参照）。
【０００５】
前記特許文献１に示された遊技機では、ラベルを貼着するための特別な表示部材を装置部材（装置前面枠や裏セット本体等）とは別に用意すると共に装置部材に嵌合取付部を設け、表示部材を嵌合取付部に嵌合させて取り付けるように構成している。これにより、リサイクル処理の際には、表示部材を装置部材から分離できるようになっている。
【０００６】
しかしながら、前記特許文献１に示された遊技機では、ラベルを貼着するための特別な表示部材を装置前面枠や裏セット本体等の装置部材とは別に特別に用意する必要があり、部品点数が増加しコスト高になる原因であった。
【０００７】
また何より、貼り付けられたラベルのうち例えば「機械番号シール」のように通常は（装置を廃棄するまでは）剥離・分離・除去・取り外し・交換等ができてはならない（装置を廃棄する時点でのみ許される）ラベルもあり、この点、前記特許文献１に示された遊技機では、ラベルを通常も（装置を廃棄以前においても）剥離・分離・除去・取り外し・交換等が可能であり、法的にも適合し難いものであった。
【０００８】
【特許文献１】
特開２００１−１７８８８１公報
【０００９】
【発明が解決しようとする課題】
本発明は上記事実を考慮して、所定の情報を表示するために装置部材に貼り付けられたラベルを、通常は（装置を廃棄するまでは）剥離・分離・除去・取り外し・交換等をすることができず（装置を廃棄する時点でのみ許され）、かつ必要なときには装置部材から速やかに除去することができ、装置使用後のリサイクル処理を容易に行うことができてリサイクル処理コストの低減を図ることができる遊技機のラベル除去構造を提供することを目的とする。
【００１０】
【課題を解決するための手段】
請求項１に係る発明の遊技機のラベル除去構造は、所定の情報を表示するためのラベルが装置部材に貼り付けられた遊技機に適用され、前記ラベルを前記装置部材から取り除くための遊技機のラベル除去構造であって、前記装置部材に設けられ、前記ラベルが貼り付けられる貼付部と、前記貼付部及び他の周辺部と一体に成形されて前記貼付部を他の周辺部と連結し、かつ前記連結状態を強制的な外力によってのみ解除可能な連結部と、を備え、前記連結部を前記連結解除状態とすることで、前記貼付部と共に前記ラベルを前記装置部材から取り除く、ことを特徴としている。
【００１１】
請求項１記載の遊技機のラベル除去構造では、装置部材に設けられた貼付部にラベルが貼り付けられ、また、貼付部は、連結部によって他の周辺部と連結されている。
【００１２】
ここで、連結部は、貼付部及び他の周辺部と一体に成形されているため、通常は（装置を廃棄するまでは）、この連結状態を解除することはできない。
【００１３】
一方、必要なときには（装置を廃棄するときは）、連結部に強制的な外力を作用させると、連結部による連結状態が解除される。これにより、貼付部が他の周辺部と分離され、この貼付部と共にラベルが装置部材から取り除かれる。
【００１４】
このように請求項１記載の遊技機のラベル除去構造では、所定の情報を表示するために装置部材に貼り付けられたラベルを、通常は（装置を廃棄するまでは）剥離・分離・除去・取り外し・交換等をすることができず（装置を廃棄する時点でのみ許され）、かつ必要なときには装置部材から速やかに除去することができる。しかも、特別な表示部材を装置部材とは別に特別に用意する必要がなく、部品点数が増加することがない。このため、装置使用後のリサイクル処理を容易に行うことができ、リサイクル処理コストの低減を図ることができる。
【００１５】
請求項２に係る発明の遊技機のラベル除去構造は、請求項１記載の遊技機のラベル除去構造において、前記連結部は、前記貼付部の部材周縁を他の周辺部と部分的に連結しかつ切断されることで前記連結解除状態となるリブとされる、ことを特徴としている。
【００１６】
請求項２記載の遊技機のラベル除去構造では、連結部は、貼付部の部材周縁を他の周辺部と部分的に連結するリブとされているため、通常は（装置を廃棄するまでは）、この連結状態を解除することはできない。
【００１７】
一方、必要なときには（装置を廃棄するときは）、リブを例えばニッパー等によって切断すれば、当該リブによる連結状態が解除される。これにより、貼付部が他の周辺部と分離され、この貼付部と共にラベルが装置部材から取り除かれる。
【００１８】
このように請求項２記載の遊技機のラベル除去構造では、所定の情報を表示するために装置部材に貼り付けられたラベルを、通常は（装置を廃棄するまでは）剥離・分離・除去・取り外し・交換等をすることができず（装置を廃棄する時点でのみ許され）、かつ必要なときには装置部材から速やかに除去することができる。しかも、リブを設けるという簡単な構造で、部品点数が増加することがない。このため、装置使用後のリサイクル処理を容易に行うことができ、リサイクル処理コストの低減を図ることができる。
【００１９】
請求項３に係る発明の遊技機のラベル除去構造は、請求項１記載の遊技機のラベル除去構造において、前記連結部は、前記貼付部の部材周縁と他の周辺部との境界部分に設けられ、前記貼付部の部材周縁及び他の周辺部の肉厚よりも薄肉に形成されかつ破断されることで前記連結解除状態となる薄肉部とされる、ことを特徴としている。
【００２０】
請求項３記載の遊技機のラベル除去構造では、連結部は、貼付部の部材周縁と他の周辺部との境界部分に設けられた薄肉部とされているため、通常は（装置を廃棄するまでは）、この連結状態を解除することはできない。
【００２１】
一方、必要なときには（装置を廃棄するときは）、薄肉部を例えばハンマー等によって打撃して破断すれば、当該薄肉部による連結状態が解除される。これにより、貼付部が他の周辺部と分離され、この貼付部と共にラベルが装置部材から取り除かれる。
【００２２】
このように請求項３記載の遊技機のラベル除去構造では、所定の情報を表示するために装置部材に貼り付けられたラベルを、通常は（装置を廃棄するまでは）剥離・分離・除去・取り外し・交換等をすることができず（装置を廃棄する時点でのみ許され）、かつ必要なときには装置部材から速やかに除去することができる。しかも、薄肉部を設けるという簡単な構造で、部品点数が増加することがない。このため、装置使用後のリサイクル処理を容易に行うことができ、リサイクル処理コストの低減を図ることができる。
【００２３】
【発明の実施の形態】
図４には本発明の第１の実施の形態に係る遊技機のラベル除去構造が適用されたパチンコ機１０の構成が斜視図にて示されている。
【００２４】
パチンコ機１０は、外枠１２に装置部材としての前面枠１４が取り付けられ、さらに、この前面枠１４の裏面側に裏セット本体１６が取り付けられると共に、前面枠１４の前面側には遊技盤１８が取り付けられた構成となっている。
【００２５】
図３に示す如く、前面枠１４には、貼付部２０が設けられており、この貼付部２０には、パチンコ機１０の所定の情報を表示するためのラベル２２（例えば、機械番号シール、検査証等）が貼り付けられている。
【００２６】
ここで、図１には貼付部２０の詳細が平面図（前面枠１４の裏面側から視た図）にて示されており、図２には断面図にて示されている。
【００２７】
この貼付部２０は、連結部としての一対のリブ２４によって周辺部２６（前面枠１４の他の部分）と連結されている。リブ２４は、貼付部２０及び他の周辺部２６と一体に成形されており、しかも、図２に示す如く貼付部２０及び他の周辺部２６の部材肉厚よりも薄肉に形成されている。これにより、リブ２４は、貼付部２０（その部材周縁）を他の周辺部２６と連結している。またしかも、このリブ２４は、貼付部２０と他の周辺部２６との連結状態を強制的な外力によってのみ（例えば、ニッパー等によって切断することでのみ）解除可能となっている。したがって、リブ２４を切断等によって連結解除状態とすることで、貼付部２０と共にラベル２２を前面枠１４から取り除くことができる構成である。
【００２８】
次に本第１の実施の形態の作用を説明する。
【００２９】
パチンコ遊技機１０においては、前面枠１４に設けられた貼付部２０にラベル２２が貼り付けられ、また、貼付部２０は、一対のリブ２４によって他の周辺部２６と連結されている。
【００３０】
ここで、リブ２４は、貼付部２０及び他の周辺部２６と一体に成形されているため、通常は（装置を廃棄するまでは）、この連結状態を解除することはできない。
【００３１】
一方、必要なときには（装置を廃棄するときは）、リブ２４に強制的な外力を作用させると（例えば、ニッパー等によって切断すれば）、リブ２４による連結状態が解除される。これにより、貼付部２０が他の周辺部２６と分離され、この貼付部２０と共にラベル２２が前面枠１４から取り除かれる。
【００３２】
このように第１の実施の形態に係るパチンコ機１０に適用されたラベル除去構造では、所定の情報を表示するために前面枠１４に貼り付けられたラベル２２を、通常は（装置を廃棄するまでは）剥離・分離・除去・取り外し・交換等をすることができず（装置を廃棄する時点でのみ許され）、かつ必要なときには前面枠１４から速やかに除去することができる。しかも、特別な表示部材を前面枠１４とは別に特別に用意する必要がなく、リブ２４を設けるという簡単な構造で、部品点数が増加することがない。このため、装置使用後のリサイクル処理を容易に行うことができ、リサイクル処理コストの低減を図ることができる。
【００３３】
なお、前記第１の実施の形態においては、リブ２４を、貼付部２０及び他の周辺部２６の部材肉厚よりも薄肉に形成する構成としたが、これに限らず、図５に示す如くリブ２４を貼付部２０及び他の周辺部２６の部材肉厚と同じに形成する構成としてもよい。
【００３４】
また、前記第１の実施の形態においては、リブ２４を一対設け、貼付部２０の部材周縁を他の周辺部２６と２箇所で連結した構成としたが、リブ２４の個数（連結箇所数）はこれに限らず、３個（箇所）以上設ける構成としてもよく、例えば図６に示す如くリブ２４を４箇所に設ける構成としてもよい。さらに、このようにリブ２４を複数箇所に設ける場合に、当該リブ２４を連続して多数に設け、図７に示す如く所謂「ミシン目」の如く形成する構成としてもよい。
【００３５】
さらに、リブ２４を貼付部２０（その部材周縁）及び他の周辺部２６と同一高さに形成するに限らず、例えば、リブ２４を他の周辺部２６よりも高く形成すれば、ニッパー等によって切断して連結解除状態とする際に切断工具の取り回しがし易くなり、その作業性が向上して一層効果的である。
【００３６】
次に、本発明の第２の実施の形態を説明する。なお、前記第１の実施の形態と基本的に同一の部品には前記第１の実施の形態と同一の符号を付与し、その説明を省略する。
【００３７】
図８には、第２の実施の形態に係る遊技機のラベル除去構造が適用された前面枠１４の主要部分の構成が平面図にて示されている。
【００３８】
前面枠１４には、貼付部３０が設けられており、この貼付部３０には、パチンコ機１０の所定の情報を表示するためのラベル２２が貼り付けられている。
【００３９】
この貼付部３０は、連結部としての薄肉部３２によって周辺部２６（前面枠１４の他の部分）と連結されている。薄肉部３２は、貼付部３０及び他の周辺部２６の部材肉厚よりも薄肉に形成され、貼付部３０の全周に亘って設けられている。換言すれば、薄肉部３２は、貼付部３０と他の周辺部２６との間の境界部分に設けられている。これにより、薄肉部３２は、貼付部３０の部材周縁を他の周辺部２６と連結している。またしかも、この薄肉部３２は、貼付部３０と他の周辺部２６との連結状態を強制的な外力によってのみ（例えば、ハンマー等によって打撃して破断することでのみ）解除可能となっている。したがって、薄肉部３２をハンマー等によって連結解除状態とすることで、貼付部３０と共にラベル２２を前面枠１４から取り除くことができる構成である。
【００４０】
次に本第２の実施の形態の作用を説明する。
【００４１】
この貼付部３０においては、薄肉部３２によって他の周辺部２６と連結されている。このため、通常は（装置を廃棄するまでは）、この連結状態を解除することはできない。
【００４２】
一方、必要なときには（装置を廃棄するときは）、薄肉部３２に強制的な外力を作用させると（例えば、ハンマー等によって打撃して破断すれば）、薄肉部３２による連結状態が解除される。これにより、貼付部３０が他の周辺部２６と分離され、この貼付部３０と共にラベル２２が前面枠１４から取り除かれる。
【００４３】
このように第２の実施の形態に係るラベル除去構造では、所定の情報を表示するために前面枠１４に貼り付けられたラベル２２を、通常は（装置を廃棄するまでは）剥離・分離・除去・取り外し・交換等をすることができず（装置を廃棄する時点でのみ許され）、かつ必要なときには前面枠１４から速やかに除去することができる。しかも、特別な表示部材を前面枠１４とは別に特別に用意する必要がなく、薄肉部３２を設けるという簡単な構造で、部品点数が増加することがない。このため、装置使用後のリサイクル処理を容易に行うことができ、リサイクル処理コストの低減を図ることができる。
【００４４】
なお、前記第２の実施の形態においては、薄肉部３２を貼付部３０の全周に亘って設けた構成としたが、これに限らず、図９に示す如く薄肉部３２を貼付部３０の周縁（他の周辺部２６との境界部分）の一部に部分的に（断続的に）設ける構成としてもよい。
【００４５】
さらに、前述した第１の実施の形態及び第２の実施の形態においては、ラベル２２が貼り付けられる貼付部２０、貼付部３０が前面枠１４に設けられた構成として説明したが、当該貼付部２０、貼付部３０は前面枠１４に設ける構成とするに限らず、裏セット本体１６等の他の装置部材に設ける構成とすることも当然に可能である。
【００４６】
【発明の効果】
以上説明した如く本発明に係る遊技機のラベル除去構造では、所定の情報を表示するために装置部材に貼り付けられたラベルを、通常は（装置を廃棄するまでは）剥離・分離・除去・取り外し・交換等をすることができず（装置を廃棄する時点でのみ許され）、かつ必要なときには装置部材から速やかに除去することができ、装置使用後のリサイクル処理を容易に行うことができてリサイクル処理コストの低減を図ることができるという優れた効果を有している。
【図面の簡単な説明】
【図１】本発明の第１の実施の形態に係るラベル除去構造が適用されたパチンコ機の貼付部の詳細を示す平面図である。
【図２】本発明の第１の実施の形態に係るラベル除去構造が適用されたパチンコ機の貼付部の詳細を示す断面図である。
【図３】本発明の第１の実施の形態に係るラベル除去構造が適用されたパチンコ機の前面枠の構成を示す裏面図である。
【図４】本発明の第１の実施の形態に係るラベル除去構造が適用されたパチンコ機の全体構成を示す斜視図である。
【図５】本発明の第１の実施の形態に係るラベル除去構造が適用されたパチンコ機の貼付部の他の例を示す断面図である。
【図６】本発明の第１の実施の形態に係るラベル除去構造が適用されたパチンコ機の貼付部の他の例を示す平面図である。
【図７】本発明の第１の実施の形態に係るラベル除去構造が適用されたパチンコ機の貼付部の他の例を示す平面図である。
【図８】本発明の第２の実施の形態に係るラベル除去構造が適用されたパチンコ機の貼付部の詳細を示す平面図である。
【図９】本発明の第２の実施の形態に係るラベル除去構造が適用されたパチンコ機の貼付部の他の例を示す平面図である。
【符号の説明】
１０    パチンコ機
１４    前面枠
２０    貼付部２０
２２    ラベル
２４    リブ（連結部）
２６    周辺部
３０    貼付部
３２    薄肉部（連結部）
【図１】
2004147942.tif 000003
【図２】
2004147942.tif 000004
【図３】
2004147942.tif 000005
【図４】
2004147942.tif 000006
【図５】
2004147942.tif 000007
【図６】
2004147942.tif 000008
【図７】
2004147942.tif 000009
【図８】
2004147942.tif 000010
【図９】
2004147942.tif 000011